(57)【要約】本発明は、移動無線端末機にダウンロード可能なコンテントオブジェクトのプレミアムベースド推薦方法に関する。この方法は、第１のコンテントオブジェクトＤＲＭＣをコンテントプロバイダーＩＡから第１の端末機ＥＧ  Ａに送信するステップと、第１のライツオブジェクトＲＯ  ＡをライツプロバイダーＲＡから第１の端末機ＥＧ  Ａに送信するステップと、コンテントオブジェクトを第１の端末機ＥＧ  Ａの識別と一緒にＤＲＭＣ＊第１の端末機ＥＧ  Ａから第２の端末機ＥＧ  Ｂに伝送するステップと、第２の端末機ＥＧ  ＢによりライツプロバイダーＲＡに第２のライツオブジェクトＲＯ  Ｂを要求し、ここで第２のライツオブジェクトＲＯ  Ｂにより第２の端末機ＥＧ  Ｂがコンテントオブジェクトを利用できるようにし、ライツプロバイダーＲＡに第１の端末機ＥＧ  Ａの識別を伝送しかつライツプロバイダーＲＡがこれに基づいて第１の端末機ＥＧ  Ａにプレミアムを割り当てることができるようにするステップとを有している。
2006518889.tif 000002
【特許請求の範囲】
【請求項１】
移動無線端末機にダウンロード可能なコンテントオブジェクトのプレミアムベースド推薦方法であって、次のステップを有している：
−  第１のコンテントオブジェクト（ＤＲＭＣ）をコンテントプロバイダー（ＩＡ）から第１の端末機（ＥＧ  Ａ）に送信し、
−  第１のライツオブジェクト（ＲＯ  Ａ）をライツプロバイダー（ＲＡ）から第１の端末機（ＥＧ  Ａ）に送信し、
−  コンテントオブジェクトを第１の端末機（ＥＧ  Ａ）の識別と一緒に（ＤＲＭＣ＊）第１の端末機（ＥＧ  Ａ）から第２の端末機（ＥＧ  Ｂ）に送信し、かつ
−  第２の端末機（ＥＧ  Ｂ）によりライツプロバイダー（ＲＡ）に第２のライツオブジェクト（ＲＯ  Ｂ）を要求し、ここで
第２のライツオブジェクト（ＲＯ  Ｂ）により第２の端末機（ＥＧ  Ｂ）がコンテントオブジェクトを利用できるようにし、
ライツプロバイダー（ＲＡ）に第１の端末機（ＥＧ  Ａ）の識別を伝送しかつライツプロバイダー（ＲＡ）がこれに基づいて第１の端末機（ＥＧ  Ａ）にプレミアムを割り当てることができるようにする
方法。
【請求項２】
コンテントオブジェクト（ＤＲＭＣ＊）と一緒に付加的に、ライツプロバイダー（ＲＡ）に対するリファレンスを第２の端末機（ＥＧ  Ｂ）に送信する
請求項１記載の方法。
【請求項３】
第１の端末機（ＥＧ  Ａ）に対する補充された識別または第１の端末機（ＥＧ  Ａ）に対する識別が組み込まれているライツプロバイダー（ＲＡ）に対するリファレンスを第１の端末機（ＥＧ  Ａ）のプライベートキーによってサインする
請求項１または２記載の方法。
【請求項４】
第１の端末機（ＥＧ  Ａ）がライツプロバイダーによってライツオブジェクトにおいて得られる識別を該端末機自体のプライベートキーによってサインしかつ該サインをデータコンテナもしくはコンテントオブジェクトに組み込む
請求項１から３までのいずれか１項記載の方法。
【請求項５】
第１のライツオブジェクト（ＲＯ  Ａ）は、第１の端末機（ＥＧ  Ａ）のユーザが別のユーザに対してコンテントオブジェクト（ＤＲＭＣ）の推薦に成功した場合にプレミアムを得るかどうかという情報を含んでいる
請求項１から４までのいずれか１項記載の方法。
【請求項６】
第１のライツオブジェクト（ＲＯ  Ａ）は、第１の端末機（ＥＧ  Ａ）のユーザが得ることができるプレミアムのディスクリプションを含んでいる
請求項１から５までのいずれか１項記載の方法。
【請求項７】
第１のライツオブジェクト（ＲＯ  Ａ）は、第１の端末機（ＥＧ  Ａ）がコンテントオブジェクト（ＤＲＭＣ）に第２の端末機（ＥＧ  Ｂ）への送信の前に付け加える、第１の端末機（ＥＧ  Ａ）の識別を含んでいる
請求項１から６までのいずれか１項記載の方法。
【請求項８】
第１のライツオブジェクト（ＲＯ  Ａ）は、コンテントオブジェクト（ＤＲＭＣ）に既に含まれている、先行する端末機の１つまたは複数の識別が置換されるおよび／または補充されるべきかのシグナリングを含んでいる
請求項１から７までのいずれか１項記載の方法。
【請求項９】
第１のライツオブジェクト（ＲＯ  Ａ）は、プレミアムに結び付いている条件および／または制限、例えばプレミアムの有効期限に関する情報を含んでいる
請求項１から８までのいずれか１項記載の方法。
【請求項１０】
ライツプロバイダー（ＲＡ）は第１の端末機（ＥＧ  Ａ）にプレミアムの譲与に対する確認を伝送する
請求項１から９までのいずれか１項記載の方法。
【請求項１１】
第２の端末機（ＥＧ  Ｂ）は第２の端末機の特性に整合しているコンテントオブジェクト（ＤＲＭＣ＊＊＊）をコンテントオブジェクト（ＩＡ）のプロバイダーによって要求する
請求項１から１０までのいずれか１項記載の方法。
【請求項１２】
第１および／または第２の端末機（ＥＧ  Ａ，ＥＧ  Ｂ）はそれぞれの端末機のユーザに、コンテントオブジェクトの利用に関して重要な、コンテントオブジェクトの情報だけを指示する
請求項１から１１までのいずれか１項記載の方法。
【請求項１３】
ライツプロバイダー（ＲＡ）は第２の端末機（ＥＧ  Ｂ）から伝送される、該第２の端末機（ＥＧ  Ｂ）の特性のディスクリプションに基づいて、該第２の端末機（ＥＧ  Ｂ）に対して別のコンテントオブジェクト（ＤＲＭＣ＊＊＊）がより適していることを検出しかつライツプロバイダー（ＲＡ）はそれを第２の端末機（ＥＧ  Ｂ）に伝送する
請求項１から１２までのいずれか１項記載の方法。
【請求項１４】
請求項１から１３までのいずれか１項記載の方法に使用される移動無線機。
【発明の詳細な説明】
【技術分野】
【０００１】
本発明は、移動無線端末機にダウンロード可能なコンテントオブジェクトのプレミアムベースド推薦方法に関する。
【０００２】
この形式の方法はとりわけ、移動無線端末機において使用される。
【０００３】
オープン・モビール・アリアンス（Open Mobile Alliance＝ＯＭＡ）によって現在、権限を有していないユーザがデジタルコンテンツをアクセスできないようにしかつ権限のあるユーザがコンテンツを利用するために正確に規定の権利を容認することができるようにする方法が作られる。この方法は「デジタルライツマネージメント（Digital Rights Management＝ＤＲＭ）」と称される。
【０００４】
これまでオープン・モビール・アリアンスによって３つの異なったライツマネージメント法が定義されかつ採用された。これら３つの作られた方法は「フォワード・ロック」、「コンバイド・デリバリー」および「セパレート・デリバリー」として公知である：
「フォワード・ロック（Forward-Lock）」では単数または複数のメディアエレメントが新しいデータタイプにパッキングされる。これはメディアエレメントの他に付加的に、数個のシグナリング情報を含んでいる。そこで新たに定義されるデータタイプ（“application/oma.drm.message”）が、その中に含まれているオブジェクトは先送りすることは許されず、データシステムにおいて任意にアクセスして記憶しかつ変更することは許されないという制限と結び付いている。従ってこのタイプのオブジェクトの、端末機による固有の処理が必要である。
【０００５】
「コンバイド・デリバリー（Combined-Delivery）」ではメディアエレメントは方法「フォワード・ロック」の場合と同じデータタイプにパッキングされている。しかしその中に付加的に更に、デジタルメディアオブジェクトの利用に関する別の制限を確定することができる権限の記述であるライツデスクリプションが含まれている。これに対する例は利用時間、利用頻度または利用形式の制限である（例えば「プリントできない」）。
【０００６】
「セパレート・デリバリー（Separate-Delivery）」ではメディアオブジェクトは暗号化されて、以下にＤＲＭＣ（“Digital Rights Management-Container”）と称する別の新たに定義されるデータタイプ（“application/oma.drm.content”）にパッキングされる。これも複数のシグナリング情報を含んでいる。暗号化によって、コンテンツが固有のＤＲＭ機能性のない適用によって扱われかつ自由にアクセスできる、端末機のメモリ領域にファイルされるとしても、権限のない利用から当該コンテンツを保護することができる。付加的に安全なチャネルを介してライツオブジェクト（Rechteobjekt＝ＲＯ）が受信機に伝送される。テキスト符号化においてこれはいわゆるデータタイプ“application/vnd.oma.drm.rights+xml”でありかつ２進符号化においていわゆるタイプ“application/vnd.oma.drm.rights+wbxml”である。
【０００７】
２つの方法「コンバイド・デリバリー」および「セパレート・デリバリー」においてライツオブジェクト（ＲＯ）が中心的な役割を果たす。このオブジェクトは、コンテントオブジェクトに結び付いている権限（ライツデスクリプション）および、方法「セパレート・デリバリー」の使用の場合にはＤＲＭＣに暗号化されたコンテントオブジェクトを暗号解除するためのキーも含んでいる。
【０００８】
ライツオブジェクトの定義は、http://www.openmobilealliance.org/docs/drmrel10.dtdで呼び出し可能であるＸＭＬ  ＤＴＤ（eXtensible Markup Language Document Type Definition）との関連において仕様 OMA-Download-DRMREL-v1 0-20020913-C によって与えられている。ライツオブジェクトに対する定義の最新のバージョンにはいくつかの権限および制約が含まれている。権限には次のものが挙げられる：
−  「再生する」（オーディオ−ビジュアルコンテンツに対して）
−  「指示する」（ビジュアルコンテンツに対して）（画像、ビデオ）
−  「実行する」（実行可能なプログラムに対して）および
−  「プリントする」（例えば画像、テキストまたは図形のようなコンテンツのマテリアルコピーの作成に対して）。
【０００９】
方法「セパレート・デリバリー」ではコンテントオブジェクト（保護すべきメディアオブジェクト）はＤＲＭＣに含まれている。図１には方法「セパレート・デリバリー」におけるライツオブジェクトによるコンテントオブジェクトのリファレッシングが示されている。ＤＲＭＣは２つの構成部分を有している：１つは暗号化されたコンテントオブジェクト（ＩＯ）であり、もう１つは制御情報およびコンテントオブジェクトのデスクリプションを含んでいるヘッド部である。制御情報に属しているのは、端末機が利用することができて、コンテントオブジェクトに対する別の権限が得られるようにする、ライツプロバイダー（Rechteanbieter＝ＲＡ）に対するリファレンス（「ライツイシュア」）および、ライツオブジェクト（Rechtobjekt＝ＲＯ）からコンテントオブジェクトをリファレッシングするために用いられる一義的なリファレンス、いわゆる「コンテントユニフォームリソース識別子（Content Uniform Resource Identifier＝ＣＵＲＩ）」である。このリファレンスは（ＵＲＩの形において）ライツオブジェクトにおいて、ライツオブジェクトとコンテントオブジェクトとの間のコネクションを表示するためにリファレンスとして使用される。
【００１０】
コンテンツをライツから分離することはコンセプト上の利点を有している。ＤＲＭＣにおけるコンテントオブジェクトを暗号化することによって、コンテントオブジェクトに対するアクセスは適合キーを用いてのみ可能である。こうしてＤＲＭＣは、コンテナのユーザが適合キーを使用することができない限りは無価値になる。これによりＤＲＭＣは別のデータファイルと同様に任意に取り扱うことができる。これはコピーすることができかつＤＲＭＣをある端末機（ユーザＡの）から別の端末機（ユーザＢの）へ転送するかまたはコピーもすることも可能でありかつ許可されている。この過程は「スーパーディストリビューション（超配布）」と称される。ＤＲＭＣの受信側ユーザＢは、ライツプロバイダーイーのリソースに対するリファレンスを利用するとき（ライツイシュア）、ＤＲＭＣにおけるコンテントオブジェクトに対するアクセスを得ることができる。ＤＲＭＣ送信過程は次のように実行することができる：
受信ユーザＢの端末機がユーザＡの端末機からＤＲＭＣを受け取る。ユーザＢは引き続いて、ＤＲＭＣに含まれているコンテントオブジェクトに適合している権利を獲得することを決心する。そこでユーザＢは、ＤＲＭＣにおいてヘッドフィールド「ライツイシュア｝によって符号化されているライツプロバイダーイーのリソースを呼び出す。ライツプロバイダーイーはこれに基づいてユーザＢに購買のための適合ライツオブジェクトを提供する。ユーザＢはこの提供を受け取り、ライツオブジェクトを購入しかつこれにおいてコンテントオブジェクトの暗号解除のためのキーを得る。
【００１１】
この方法によって、ユーザ間のコンテントオブジェクトの交換が可能になり、その際ライツプロバイダーイーは付加価値付与能力は持ったままである。ライツプロバイダーはユーザＢによるライツオブジェクトのダウンロードを再び課金することができるが、それは例えばユーザＡによる対応するライツオブジェクトを有するＤＲＭＣの最初のダウンロードと同一の仕方である。
【００１２】
その際満足したユーザＡがダウンロードしたコンテントオブジェクトを別のユーザＢに推薦し、これにより適当するライツオブジェクトの付加的な販売の基礎を築くことは、コンテントオブジェクトのプロバイダーの関心事である。上述した、コンテントオブジェクトのプロバイダーによって望まれる、ユーザＡの振る舞いを薦めるために、ユーザＡにプレミアムを提供することが好ましい。プレミアムをコンテントオブジェクトのプロバイダーはユーザＡに、推薦が成功した際に与える。
【００１３】
しかしこのことは説明してきたＤＲＭＣ送信過程において制限されてしか可能でない。つまりライツプロバイダーは第１の受信するユーザＡに一義的に割り当てられているリファレンス（ヘッドフィールド「ライツイシュア」）をＤＲＭＣに組み込む。続いてユーザＢによってこのリファレンスによって開始される、ライツオブジェクトに対するダウンロード過程はライツプロバイダーの側からのユーザＡへの返送を許容することになる。しかし説明してきた過程は、ＤＲＭＣにダイナミックに種々様々なユーザおよびプレミアムが割り当てられないという欠点を有している。従ってそれぞれ新しくかつ個有のプレミアムディスクリプション（プレミアム形式記述）およびコンセッション（プレミアム付与実行もしくは譲与）を有する、種々のユーザによる繰り返しの転送は可能ではない。
【００１４】
従って本発明の課題は、ユーザＢのダウンロードがユーザＡのコンテントオブジェクトの推薦がきっかけで行われたという情報をコンテントオブジェクトのプロバイダーに伝送して、該コンテントオブジェクトのプロバイダーが推薦ユーザＡにプレミアムを付与実行できるようにする、移動無線端末機にダウンロード可能なコンテントオブジェクトのプレミアムベースド推薦方法を提供することであり、その際コンテントオブジェクトの最初の受信者に対するプレミアム提供のみならず、その他の受信者にもそれぞれプレミアム提供をダイナミックに割り当てできるようにしたい。
【００１５】
この課題は請求項１の特徴部分に記載の構成を有する、移動無線端末機にダウンロード可能なコンテントオブジェクトのプレミアムベースド推薦方法および請求項１４の特徴部分に記載の構成を有する移動無線端末機によって解決される。
【００１６】
本発明の、移動無線端末機にダウンロード可能なコンテントオブジェクトのプレミアムベースド推薦方法は次のステップを有している：
−  第１のコンテントオブジェクトをコンテンツプロバイダーから第１の端末機に送信し、
−  第１のライツオブジェクトをライツプロバイダーから第１の端末機に送信し、
−  コンテントオブジェクトを第１の端末機の識別と一緒に第１の端末機から第２の端末機に伝送し、かつ
−  第２の端末機によりライツプロバイダーに第２のライツオブジェクトを要求し、ここで
第２のライツオブジェクトにより第２の端末機がコンテントオブジェクトを利用できるようにし、
ライツプロバイダーに第１の端末機の識別を伝送しかつライツプロバイダーがこれに基づいて第１の端末機にプレミアムを割り当てることができるようにする。
【００１７】
コンテントオブジェクトは、例えば画像、音楽またはビデオデータファイルのような、移動無線端末機において受信することができるそれぞれの種類のデータである。コンテントオブジェクトは有利には、冒頭に図１との関係において説明したような、“Digital Rights Management Container”＝ＤＲＭＣに存在している。この場合コンテントオブジェクトを含んでいるＤＲＭＣが伝送される。コンテントプロバイダーもしくはライツプロバイダーは同一のプロバイダーであることもある。実際にはこれはネットワークプロバイダーであることが多い。端末機はそれぞれの種類の移動無線端末機であってよい。
【００１８】
本発明の発展形態においてコンテントオブジェクトと一緒に付加的にライツプロバイダーに対するリファレンスが第２の端末機に送信される。有利にはこのリファレンスはＤＲＭＣに含まれている。このリファレンスによって第２の端末機は、該第２の端末機が誰から第２のライツオブジェクトを要求することができるかが分かる。
【００１９】
不正使用を避けかつコンテントオブジェクトに対するアクセスをコントロールすることができるようにするために、有利な実施形態において、第１の端末機に対する補充された識別または第１の端末機に対する識別が組み込まれているライツプロバイダーに対するリファレンスを第１の端末機のプライベートキーによってサインする。
【００２０】
本発明の別の有利な実施形態において、第１の端末機がライツプロバイダーによってライツオブジェクトにおいて得られる識別を該端末機自体のプライベートキーによってサインしかつ該サインをデータコンテナもしくはコンテントオブジェクトに組み込む。このサインは第２の端末機から第１の端末機に対する識別と一緒に新しいライツオブジェクトに対するリクエストに組み込まれかつライツプロバイダーに伝送される。ライツプロバイダーはサインに基づいて第１の端末機の確かさを検証し、こうして第１の端末機に対する識別が実際に第１の端末機によってデータコンテナもしくはコンテントオブジェクトに組み込まれたものであることを確かめることができる。
【００２１】
有利には、第１のライツオブジェクトは、第１の端末機のユーザが別のユーザに対してコンテントオブジェクトの推薦に成功した場合にプレミアムを得るかどうかという情報を含んでいる。更に有利には、第１のライツオブジェクトは、第１の端末機のユーザが得ることができるプレミアムのディスクリプションを含んでいる。こうしてプレミアムは例えば（移動無線）ユーザのアカウントへの貸し方または端末機において利用可能なコンテント（例えば場合によっては付加的なライツオブジェクトの形のこともある音楽作品、アプリケーション、ゲームまたはゲームの付加的なレーベル）であってよい。
【００２２】
有利な実施形態において第１のライツオブジェクトは、第１の端末機がコンテントオブジェクトに第２の端末機への送信の前に付け加える、第１の端末機の識別を含んでいる。
【００２３】
本発明の発展形態において第１のライツオブジェクトは、コンテントオブジェクトに既に含まれている１つまたは複数の先行する端末機が置換されるおよび／または補充されるべきかのシグナリングを含んでいる。その際それは、別個のエレメントまたは複数の構成部分を有するエレメントから成るリストであってよい。発展形態により、プレミアムの、それぞれの推薦するユーザに対する個別の整合が可能である。例えば最初に推薦するユーザだけがいつも、以降幾度も推薦されていく場合にもプレミアムを得るようにすることも考えられる。択一的に最後の推薦ユーザがその都度報酬を受けるようにすることもできる。持ち分に応じた分配も考えられる。
【００２４】
更に、第１のライツオブジェクトは、プレミアムに結び付いている条件および／または制限、例えばプレミアムの有効期限に関する情報を含んでいることができる。例えばプレミアムは所定のプロバイダーでしか利用することができないかまたはプレミアムは翌月末までに利用されなければならない。
【００２５】
本発明の別の有利な実施形態において、ライツプロバイダーは第１の端末機にプレミアムの譲与に対する確認を伝送し、こうすることでプレミアムのユーザはプレミアムアカウントを管理することができる。
【００２６】
本発明の発展形態において、第２の端末機は第２の端末機の特性に整合しているコンテントオブジェクトをコンテントオブジェクトのプロバイダーから要求する。すべての移動無線端末機がコンテントオブジェクトを利用するために同じ能力を有しているわけではない。例えば第１の端末機だけがＧＰＳ（Global Positioning System）モジュールを有しておりかつ第２の端末機はそれに調整されているコンテントオブジェクトを利用することができない。このような場合第２の端末機はその特性に整合されているコンテントオブジェクト、例えば別の位置測定方法に基づいている、整合されたコンテントオブジェクトを要求することができる。コンテントオブジェクトが所定の移動無線端末機によって利用され得る程度にコンテントオブジェクトのコンテンツが低減されるようにすることも考えられる。受信する端末機はこのために、該端末機がどのようなコンテントオブジェクトを処理することができるかをプロバイダーにシグナリングしなければならない。
【００２７】
更に有利には、第１および／または第２の端末機はそれぞれの端末機のユーザに、コンテントオブジェクトの利用に関して重要な、コンテントオブジェクトの情報だけを指示する。内部の、すなわちユーザがコンテントオブジェクトをダウンロードしたいのかどうかについての決定に関してユーザにとって重要でない情報は当該ユーザに指示されない。
【００２８】
本発明の発展形態においていわゆる「ハッシュ値」、すなわち一種のチェックサムまたはＤＲＭＣに対するサインおよび／またはコンテントオブジェクトが計算される。従ってＤＲＭＣもしくはコンテントオブジェクトが変化すると−本発明においては第１の端末機のユーザに対する識別の組み込みのために必要であるような−ハッシュ値またはサインは、値の計算がこの種の変化も含んでいるときには無効になる。このことを妨げるために、識別もしくは識別が組み込まれるおよび／または付けられる、ライツイシュアに対するリファレンスは計算から排除されるようにしたい。従ってハッシュ値またはサインはインフォメーションオブジェクトまたはインフォメーションオブジェクトおよびＤＲＭＣヘッドフィールドの一部に対してだけ計算されるようにしたい。その際ハッシュ値の新たな計算および／または端末機によるコンテントオブジェクトのサインは回避されるようにしたい。
【００２９】
冒頭に述べた課題は、本発明の方法が使用されるようになっている移動無線機によっても解決される。
【００３０】
本発明の方法は、コンテントプロバイダー（ＩＡ）もしくはライツプロバイダー（ＲＡ）に対して推薦過程の識別および割り当てを可能にしかつこのことに基づいてコンテントオブジェクトをユーザＢに成功裏に推薦した推薦ユーザＡに対してプレミアムを付けることができるようにすることを目的として、冒頭に説明したＤＲＭＣ送信過程に対する拡張から成っている。
【００３１】
本発明ではメッセージフローおよびシグナリングによって、ライツプロバイダーがユーザＢ（ＥＧ  Ｂ）の端末機との交信から、ライツオブジェクトに対するＥＧ  ＢのリクエストがＥＧ  ＡによるＤＲＭＣもしくはＤＲＭＣ＊の推薦に基づいていることを推定することができるようになる。割り当ては、ユーザに対するライツプロバイダーまたはユーザを一義的に特徴付ける（例えばＥｍａｉｌアドレス）識別に基づいている。有利には識別はライツプロバイダーによって生成されかつまずユーザＡに伝送される。これによりトランザクションに一義的に割り当てられかつ当該識別がユーザＡのアイデンティティを第３者に対して公開しないように変形することができる識別が可能になる。ユーザＡから識別はコンテントオブジェクトと一緒にユーザＢに転送されかつユーザＢから今度はライツプロバイダーに伝送される。ユーザＡに対する識別はライツプロバイダーからユーザＡに対して、ＤＲＭＣに組み込まれてかまたはライツオブジェクトに組み込まれてかまたは別個に行うことができる。有利にはライトオブジェクトへの組み込みである。その理由は、これは、ＤＲＭＣがライツプロバイダーからＥＧ  Ａに伝送されることを前提としていないからである。
【００３２】
コンテントオブジェクトをＤＲＭＣに組み込んで種々様々なユーザもしくはその端末機から何回も転送することも考えられる。それ故にそれぞれのユーザに対して同一の出発前提条件を作るために、推薦のプレミアム授与のために必要である情報をライツオブジェクトに組み込むと効果的である。その理由はこれはそれぞれのユーザに個別に配送されるからである。その際常に、ＤＲＭＣの最後の転送過程だけ、すなわちコンテントオブジェクトの推薦だけがライツプロバイダーによるプレミアムの割り当てに対して重要であるようにすることもできる。択一的に、すべての後続の成功した推薦過程に対するＤＲＭＣの第１の受信機のプレミアム授与または推薦のチェーンに関与した数人のまたはすべてのユーザのプレミアム授与も可能である。
【００３３】
本発明の方法にとって有利なのは、それぞれの転送／推薦過程に対して個々のプレミアムをライツプロバイダーによって確定することができることである。これによりプレミアムは、推薦するユーザ、時期、コンテントの転送の履歴または例えばコンテントの種類に依存するようにすることができる。更に、それぞれの転送過程に対してその都度、転送する最後のユーザに報酬を与えることができる。択一的に、それぞれの転送過程に対して先行するユーザにも報酬を与えるようにしてもよい。更に推薦するユーザにプレミアムが指示されかつ記述されるようにしてもよい。更に、推薦を利用するユーザに対して推薦するユーザのアイデンティティを隠すようにすれば有利である。つまりライツプロバイダーは推薦するユーザに識別を一回限り割り当て、該識別から受信するユーザが推薦するユーザの識別を導き出すことはできない。
【００３４】
次に本発明を添付図面を参照し実施例に基づいて詳細に説明する。そこに示される特徴および既に上で説明した特徴も示される組み合わせにおいてばかりでなく、個別にもまたは別の組み合わせにおいても本発明には重要である。その際：
図１は方法「セパレート・デリバリー」の場合のライツオブジェクトからのコンテントオブジェクトのリファレッシングを略示し、
図２はＤＲＭＣの推薦の際にＥＧ  ＡからＥＧ  Ｂへ伝送されるメッセージフローを略示し、かつ
図３はＤＲＭＣの推薦の際にＥＧ  Ａから別のＥＧ  Ｂへ伝送されるメッセージフローを略示している。
【００３５】
図１については冒頭で既に説明したので、ここではそのことを指摘するにとどめる。
【００３６】
図２には実施例としてユーザＡの端末機ＥＧ  Ａ、ユーザＢの端末機ＥＧ  Ｂ、コンテントプロバイダーＩＡおよびライツプロバイダーＲＡが示されている。コンテントオブジェクトがＤＲＭコンテナにＤＲＭＣおいてコンテントプロバイダーＩＡからユーザＡの端末機ＥＧ  Ａに伝送される（ステップ１）。ＤＲＭＣはこの実施例において図１に示されているＤＲＭＣに相応する。択一的にＤＲＭＣは別の端末機からＥＧ  Ａに伝送されるようにすることもできる。それからライツオブジェクトＲＯ  ＡがライツプロバイダーＲＡから端末機ＥＧ  Ａに伝送される（ステップ２）。周知の情報の他にそれは次のエレメントの１つまたは複数を含んでいる：
ａ）  ユーザＡがＤＲＭＣの、別のユーザへの成功裏の推薦の際にプレミアムを得ることができるというシグナリング；
ｂ）  ユーザＡが推薦に成功した後に得ることができるプレミアムのディスクリプション；
ｃ）  ＤＲＭＣが別のユーザ、例えばユーザＢに転送される前に、ユーザＡの端末機がＤＲＭＣに組み込むべき識別；
ｄ）  推薦に対するプレミアムに結びつけられる（例えば有効期限など）可能な条件および／または制限のディスクリプション；
ｅ）  ＤＲＭＣに既に存在している、ｃ）に従った情報が置換されるべきかまたは補充されるべきかのシグナリング。
【００３７】
端末機ＥＧ  Ａはこれらの情報をライツオブジェクトＲＯ  Ａから抽出しかつこれらを全部または抜粋して端末機ＥＧ  Ａのユーザに指示する。ユーザＡがコンテントオブジェクトの転送もしくは推薦を決心する場合、またはそれとは無関係に、端末機ＥＧ  ＡはユーザＡの識別をＤＲＭＣに組み入れ、ＤＲＭＣはＤＲＭＣ＊になる。この識別が本物であることの標識として端末機ＥＧ  Ａは機器のプライベートキーによってサインすることもできる。サインはライツプロバイダーＲＡによって後から検査して、実際に入力された識別が正しいＥＧ  Ａによって挿入されたことが保証されるようにすることができる。引き続いてＤＲＭＣがＥＧ  ＡからＥＧ  Ｂに伝送される（ステップ３）。このことは例えばマルチメディアサービスＭＭＳ、Ｅメール、Ｂｌｕｅｔｏｏｔｈ、赤外線インタフェースＩｒＤＡ、メモリカード、ケーブルなどにより行うことができる。端末機ＥＧ  ＢはＤＲＭＣ＊を受信しかつユーザＢに対して、含まれているコンテントオブジェクトに対してライツプロバイダーからライツオブジェクトＲＯ  Ｂをダウンロードすることを提供する。このことがユーザＢによって確認されると、ＥＧ  Ｂはライツプロバイダー（「ライツイシュアー｝）のリソースに対するリファレンスおよび更に、ＤＲＭＣ＊に含まれている、ユーザＡに対する識別を使用してライツオブジェクトＲＯ  Ｂがライツプロバイダーによって要求されるようにする（ステップ４）。このことは例えば、識別が規定の形式および仕方でライツプロバイダーＲＡのリファレンス（ＵＲＬ＝Uniform Resource Locator）に結びつけられることによって行うことができる。ライツプロバイダーＲＡはこれにより、誰がＤＲＭＣ＊をユーザＢに転送したのかという情報を得かつこのユーザにプレミアムを割り当てることができる。この過程の際に、ＥＧ  ＢはユーザＢに任意に、ユーザＡが自分の識別をＤＲＭＣ＊に組み込みかつユーザＢがライツオブジェクトＲＯ  Ｂをライツプロバイダーに要求するもしくはダウンロードするとき、ユーザＡはプレミアムを得ることになるという情報も指示することができる。その後にＲＡから端末機ＥＧ  ＢへのＲＯの伝送が続く（ステップ５）。
【００３８】
更に、ＲＡがＥＧ  Ａおよび／またはＥＧ  Ｂにプレミアムの譲与に対する確認を送ることも考えられる（図２には図示されていない）。このことはＥＧ  Ｂに対してＲＯに組み込むかまたは別個に行うことができる。端末機は場合によって得られる、プレミアムの許可に関する通知をユーザに指示することができる。プレミアムは形式で見ればＤＲＭ方法には無関係である。
【００３９】
引き続いてこの過程は最初から始めることができる。ＤＲＭＣ（もしくはＤＲＭＣ＊）はＥＧ  Ｂに存在している。新しいライツオブジェクト（ＲＯ  Ｂ）によって今度は、ユーザＢによる潜在している次の推薦過程に対する最新のデータをＥＧ  Ｂに伝送することができる（推薦の際のプレミアムに対するシグナリング、プレミアムのディスクリプションおよびＥＧ  Ｂ／ユーザＢに対する識別など）。ステップ６は同じように、ＤＲＭＣ＊＊の、別の端末機ＥＧ  Ｃに対する転送を示している。
【００４０】
ＥＧ  Ｂ／ユーザＢに対する識別はＥＧ  Ｂによって、ＥＧ  Ｂ／ユーザＢに対するこれまでの識別に代わってかまたは付加的に、ＤＲＭＣ＊に組み込まれるようにすることができる。このことは付加的にライツオブジェクトにおいてシグナリングすることができる。
【００４１】
１つの適合するライツオブジェクトだけをＥＧ  Ｂにダウンロードするという上に説明した実施例の他に、ＥＧ  Ｂの特性に整合しているコンテントオブジェクトをダウンロードする可能性もある。このことは、ＤＲＭＣ＊におけるコンテントオブジェクトがＥＧ  Ｂの特性に整合していないかまたは最適には整合していないときに必要になる。ＥＧ  Ｂはこのことを最初に、ＤＲＭＣ＊に含まれている、コンテントオブジェクトの特性のディスクリプションの検査によって確かめることができる。択一的にライツプロバイダーがＥＧ  Ｂから伝送される、特性のデスクリプションに基づいて、ＥＧ  Ｂには別のＤＲＭＣがもっと適していることを検出することもできる。その場合ＥＧ  Ｂは図１に示されているようなライツオブジェクトの１回限りの要求に対して択一的に、付加的に更に一層適しているＤＲＭＣ＊＊＊を要求することができる。この過程はプレミアムの譲与には無関係である。
【００４２】
図３にはＥＧ  ＡからＥＧ  ＢへのＤＲＭＣ伝送の推薦の際の相応のメッセージフローを有する実施例が示されている。その際ステップ１ないし４は図２のステップ１ないし４は図２に相応する。しかしステップ５ａにおいてライツオブジェクトＲＯ  Ｂに対して付加的に、端末機ＥＧ  Ｂに特別適している、コンテントオブジェクトの変形を有しているＤＲＭコンテナＤＲＭＣ＊＊＊がコンテントプロバイダーＩＡもしくはライツプロバイダーＲＡから端末機ＥＧ  Ｂに伝送される。
【００４３】
上に述べた方法に対して択一的に、ＥＧ  ＡからＲＡを介して推薦がＥＧ  Ｂに達する変形例も考えられる。このためにＥＧ  ＡはＲＡにＥＧ  Ｂのコンタクト情報を伝送し、これに基づいてＲＡはメッセージまたはＤＲＭＣをＥＧ  Ｂに送信し、このことは例えばＷＡＰ（Wireless Application Protocol）プッシュ・テクノロジーにより行うことができる。
【図面の簡単な説明】
【００４４】
【図１】「セパレート・デリバリー」の場合のライツオブジェクトからのコンテントオブジェクトのリファレッシングを説明する略図
【図２】ＤＲＭＣの推薦の際にＥＧ  ＡからＥＧ  Ｂへ伝送されるメッセージフローの略図
【図３】ＤＲＭＣの推薦の際にＥＧ  Ａから別形式のＥＧ  Ｂへ伝送されるメッセージフローの略図
【図１】
2006518889.tif 000003
【図２】
2006518889.tif 000004
【図３】
2006518889.tif 000005
【手続補正書】
【提出日】平成16年8月18日(2004.8.18)
【手続補正１】
【補正対象書類名】特許請求の範囲
【補正対象項目名】全文
【補正方法】変更
【補正の内容】
【特許請求の範囲】
【請求項１】
次のステップを有している：
−  第１のコンテントオブジェクト（ＤＲＭＣ）をコンテントプロバイダー（ＩＡ）から第１の端末機（ＥＧ  Ａ）に送信し、
−  第１のライツオブジェクト（ＲＯ  Ａ）をライツプロバイダー（ＲＡ）から第１の端末機（ＥＧ  Ａ）に送信し、
−  コンテントオブジェクトを第１の端末機（ＥＧ  Ａ）の識別と一緒に（ＤＲＭＣ＊）第１の端末機（ＥＧ  Ａ）から第２の端末機（ＥＧ  Ｂ）に送信し、かつ
−  第２の端末機（ＥＧ  Ｂ）によりライツプロバイダー（ＲＡ）に第２のライツオブジェクト（ＲＯ  Ｂ）を要求し、ここで
第２のライツオブジェクト（ＲＯ  Ｂ）により第２の端末機（ＥＧ  Ｂ）がコンテントオブジェクトを利用できるようにし、
ライツプロバイダー（ＲＡ）に第１の端末機（ＥＧ  Ａ）の識別を伝送しかつライツプロバイダー（ＲＡ）がこれに基づいて第１の端末機（ＥＧ  Ａ）にプレミアムを割り当てることができるようにする
移動無線端末機にダウンロード可能なコンテントオブジェクトのプレミアムベースド推薦方法において、
第１のライツオブジェクト（ＲＯ  Ａ）は、コンテントオブジェクト（ＤＲＭＣ）に既に含まれている、先行する端末機の１つまたは複数の識別が置換されるおよび／または補充されるべきかのシグナリングを含んでいる
ことを特徴とする方法。
【請求項２】
コンテントオブジェクト（ＤＲＭＣ＊）と一緒に付加的に、ライツプロバイダー（ＲＡ）に対するリファレンスを第２の端末機（ＥＧ  Ｂ）に送信する
請求項１記載の方法。
【請求項３】
第１の端末機（ＥＧ  Ａ）に対する識別または第１の端末機（ＥＧ  Ａ）に対する識別が組み込まれているライツプロバイダー（ＲＡ）に対するリファレンスを第１の端末機（ＥＧ  Ａ）のプライベートキーによってサインする
請求項１または２記載の方法。
【請求項４】
第１の端末機（ＥＧ  Ａ）がライツプロバイダーによってライツオブジェクトにおいて得られる識別を該端末機自体のプライベートキーによってサインしかつ該サインをデータコンテナもしくはコンテントオブジェクトに組み込む
請求項１から３までのいずれか１項記載の方法。
【請求項５】
第１のライツオブジェクト（ＲＯ  Ａ）は、第１の端末機（ＥＧ  Ａ）のユーザが別のユーザに対してコンテントオブジェクト（ＤＲＭＣ）の推薦に成功した場合にプレミアムを得るかどうかという情報を含んでいる
請求項１から４までのいずれか１項記載の方法。
【請求項６】
第１のライツオブジェクト（ＲＯ  Ａ）は、第１の端末機（ＥＧ  Ａ）のユーザが得ることができるプレミアムのディスクリプションを含んでいる
請求項１から５までのいずれか１項記載の方法。
【請求項７】
第１のライツオブジェクト（ＲＯ  Ａ）は、第１の端末機（ＥＧ  Ａ）がコンテントオブジェクト（ＤＲＭＣ）に第２の端末機（ＥＧ  Ｂ）への送信の前に付け加える、第１の端末機（ＥＧ  Ａ）の識別を含んでいる
請求項１から６までのいずれか１項記載の方法。
【請求項８】
第１のライツオブジェクト（ＲＯ  Ａ）は、プレミアムに結び付いている条件および／または制限に関する情報を含んでいる
請求項１から７までのいずれか１項記載の方法。
【請求項９】
ライツプロバイダー（ＲＡ）は第１の端末機（ＥＧ  Ａ）にプレミアムの許可に対する確認を伝送する
請求項１から８までのいずれか１項記載の方法。
【請求項１０】
第２の端末機（ＥＧ  Ｂ）は第２の端末機の特性に整合しているコンテントオブジェクト（ＤＲＭＣ＊＊＊）をコンテントオブジェクト（ＩＡ）のプロバイダーによって要求する
請求項１から９までのいずれか１項記載の方法。
【請求項１１】
第１および／または第２の端末機（ＥＧ  Ａ，ＥＧ  Ｂ）はそれぞれの端末機のユーザに、コンテントオブジェクトの利用に関して重要な、コンテントオブジェクトの情報だけを指示する
請求項１から１０までのいずれか１項記載の方法。
【請求項１２】
ライツプロバイダー（ＲＡ）は第２の端末機（ＥＧ  Ｂ）から伝送される、該第２の端末機（ＥＧ  Ｂ）の特性のディスクリプションに基づいて、該第２の端末機（ＥＧ  Ｂ）に対して別のコンテントオブジェクト（ＤＲＭＣ＊＊＊）がより適していることを検出しかつライツプロバイダー（ＲＡ）はそれを第２の端末機（ＥＧ  Ｂ）に伝送する
請求項１から１１までのいずれか１項記載の方法。
【請求項１３】
コンテントプロバイダー（ＩＡ）からの第１のコンテントオブジェクト（ＤＲＭＣ）を第１の端末機（ＥＧ  Ａ）によって受信するための手段と、
ライツプロバイダー（ＲＡ）からの第１のライツオブジェクト（ＲＯ  Ａ）を第１の端末機（ＥＧ  Ａ）によって受信するための手段と、
コンテントオブジェクトを第１の端末機（ＥＧ  Ａ）の識別と一緒に（ＤＲＭＣ＊）第１の端末機（ＥＧ  Ａ）から第２の端末機（ＥＧ  Ｂ）に送信するための手段と
を有している、請求項１から１２までのいずれか１項記載の方法において使用される第１の端末機において、
第１のライツオブジェクト（ＲＯ  Ａ）は、コンテントオブジェクト（ＤＲＭＣ）に既に含まれている、先行する端末機の１つまたは複数の識別が置換されるおよび／または補充されるべきかのシグナリングを含んでいる
ことを特徴とする第１の端末機。
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
移動無線端末機にダウンロード可能なコンテントオブジェクトのプレミアムベースド推薦方法であって、次のステップを有している：
−  第１のコンテントオブジェクト（ＤＲＭＣ）をコンテントプロバイダー（ＩＡ）から第１の端末機（ＥＧ  Ａ）に送信し、
−  第１のライツオブジェクト（ＲＯ  Ａ）をライツプロバイダー（ＲＡ）から第１の端末機（ＥＧ  Ａ）に送信し、
−  コンテントオブジェクトを第１の端末機（ＥＧ  Ａ）の識別と一緒に（ＤＲＭＣ＊）第１の端末機（ＥＧ  Ａ）から第２の端末機（ＥＧ  Ｂ）に送信し、かつ
−  第２の端末機（ＥＧ  Ｂ）によりライツプロバイダー（ＲＡ）に第２のライツオブジェクト（ＲＯ  Ｂ）を要求し、ここで
第２のライツオブジェクト（ＲＯ  Ｂ）により第２の端末機（ＥＧ  Ｂ）がコンテントオブジェクトを利用できるようにし、
ライツプロバイダー（ＲＡ）に第１の端末機（ＥＧ  Ａ）の識別を伝送しかつライツプロバイダー（ＲＡ）がこれに基づいて第１の端末機（ＥＧ  Ａ）にプレミアムを割り当てることができるようにする
方法。
【請求項２】
コンテントオブジェクト（ＤＲＭＣ＊）と一緒に付加的に、ライツプロバイダー（ＲＡ）に対するリファレンスを第２の端末機（ＥＧ  Ｂ）に送信する
請求項１記載の方法。
【請求項３】
第１の端末機（ＥＧ  Ａ）に対する補充された識別または第１の端末機（ＥＧ  Ａ）に対する識別が組み込まれているライツプロバイダー（ＲＡ）に対するリファレンスを第１の端末機（ＥＧ  Ａ）のプライベートキーによってサインする
請求項１または２記載の方法。
【請求項４】
第１の端末機（ＥＧ  Ａ）がライツプロバイダーによってライツオブジェクトにおいて得られる識別を該端末機自体のプライベートキーによってサインしかつ該サインをデータコンテナもしくはコンテントオブジェクトに組み込む
請求項１から３までのいずれか１項記載の方法。
【請求項５】
第１のライツオブジェクト（ＲＯ  Ａ）は、第１の端末機（ＥＧ  Ａ）のユーザが別のユーザに対してコンテントオブジェクト（ＤＲＭＣ）の推薦に成功した場合にプレミアムを得るかどうかという情報を含んでいる
請求項１から４までのいずれか１項記載の方法。
【請求項６】
第１のライツオブジェクト（ＲＯ  Ａ）は、第１の端末機（ＥＧ  Ａ）のユーザが得ることができるプレミアムのディスクリプションを含んでいる
請求項１から５までのいずれか１項記載の方法。
【請求項７】
第１のライツオブジェクト（ＲＯ  Ａ）は、第１の端末機（ＥＧ  Ａ）がコンテントオブジェクト（ＤＲＭＣ）に第２の端末機（ＥＧ  Ｂ）への送信の前に付け加える、第１の端末機（ＥＧ  Ａ）の識別を含んでいる
請求項１から６までのいずれか１項記載の方法。
【請求項８】
第１のライツオブジェクト（ＲＯ  Ａ）は、コンテントオブジェクト（ＤＲＭＣ）に既に含まれている、先行する端末機の１つまたは複数の識別が置換されるおよび／または補充されるべきかのシグナリングを含んでいる
請求項１から７までのいずれか１項記載の方法。
【請求項９】
第１のライツオブジェクト（ＲＯ  Ａ）は、プレミアムに結び付いている条件および／または制限、例えばプレミアムの有効期限に関する情報を含んでいる
請求項１から８までのいずれか１項記載の方法。
【請求項１０】
ライツプロバイダー（ＲＡ）は第１の端末機（ＥＧ  Ａ）にプレミアムの譲与に対する確認を伝送する
請求項１から９までのいずれか１項記載の方法。
【請求項１１】
第２の端末機（ＥＧ  Ｂ）は第２の端末機の特性に整合しているコンテントオブジェクト（ＤＲＭＣ＊＊＊）をコンテントオブジェクト（ＩＡ）のプロバイダーによって要求する
請求項１から１０までのいずれか１項記載の方法。
【請求項１２】
第１および／または第２の端末機（ＥＧ  Ａ，ＥＧ  Ｂ）はそれぞれの端末機のユーザに、コンテントオブジェクトの利用に関して重要な、コンテントオブジェクトの情報だけを指示する
請求項１から１１までのいずれか１項記載の方法。
【請求項１３】
ライツプロバイダー（ＲＡ）は第２の端末機（ＥＧ  Ｂ）から伝送される、該第２の端末機（ＥＧ  Ｂ）の特性のディスクリプションに基づいて、該第２の端末機（ＥＧ  Ｂ）に対して別のコンテントオブジェクト（ＤＲＭＣ＊＊＊）がより適していることを検出しかつライツプロバイダー（ＲＡ）はそれを第２の端末機（ＥＧ  Ｂ）に伝送する
請求項１から１２までのいずれか１項記載の方法。
【請求項１４】
請求項１から１３までのいずれか１項記載の方法において使用される第１の端末機であって、
コンテントプロバイダー（ＩＡ）からの第１のコンテントオブジェクト（ＤＲＭＣ）を該第１の端末機（ＥＧ  Ａ）によって受信するための手段と、
ライツプロバイダー（ＲＡ）からの第１のライツオブジェクト（ＲＯ  Ａ）を該第１の端末機（ＥＧ  Ａ）によって受信するための手段と、
該第１の端末機（ＥＧ  Ａ）の識別と一緒にコンテントオブジェクト（ＤＲＭＣ＊）を該第１の端末機（ＥＧ  Ａ）から第２の端末機（ＥＧ  Ｂ）に送信するための手段と
を有している第１の端末機。
【請求項１５】
請求項１から１３までのいずれか１項記載の方法において使用される第２の端末機であって、
ライツプロバイダー（ＲＡ）からの第２のライツオブジェクト（ＲＯ  Ｂ）を該第２の端末機（ＥＧ  Ｂ）によって要求するための手段を有しており、ここで該第２のライツオブジェクト（ＲＯ  Ｂ）により該第２の端末機（ＥＧ  Ｂ）が、該第２の端末機に第１の端末機（ＥＧ  Ａ）の識別と一緒に送信されたコンテントオブジェクト（ＤＲＭＣ＊）を利用することができる
第２の端末機。
【請求項１６】
コンテントオブジェクトの推薦方法であって、次のステップを有している：
−  第１のコンテントオブジェクト（ＤＲＭＣ）をある端末機から第１の端末機（ＥＧ  Ａ）に送信し、
−  ライツオブジェクト（ＲＯ  Ａ）をライツプロバイダー（ＲＡ）から第１の端末機（ＥＧ  Ａ）に送信し、ここで該第１のライツオブジェクト（ＲＯ  Ａ）が第１の端末機（ＥＧ  Ａ）に対してコンテントオブジェクトを利用できるようにし、
−  コンテントオブジェクトを第１の端末機（ＥＧ  Ａ）の識別と一緒に（ＤＲＭＣ＊）第１の端末機（ＥＧ  Ａ）から第２の端末機（ＥＧ  Ｂ）に送信し、かつ
−  第２の端末機（ＥＧ  Ｂ）によりライツプロバイダー（ＲＡ）に第２のライツオブジェクト（ＲＯ  Ｂ）を要求し、ここで
第２のライツオブジェクト（ＲＯ  Ｂ）により第２の端末機（ＥＧ  Ｂ）がコンテントオブジェクトを利用できるようにし、
ライツプロバイダー（ＲＡ）に第１の端末機（ＥＧ  Ａ）の識別を伝送して、ライツプロバイダー（ＲＡ）がこれに基づいて第１の端末機（ＥＧ  Ａ）にコンテントオブジェクトに関する推薦過程を割り当てることができるようにする
方法。
【請求項１７】
ライツプロバイダーは第１の端末機（ＥＧ  Ａ）の識別の伝送に基づいて該第１の端末機（ＥＧ  Ａ）にプレミアムを割り当てる
請求項１６記載の方法。
【請求項１８】
第１のライツオブジェクト（ＲＯ  Ａ）は第１の端末機（ＥＧ  Ａ）の識別を含んでいる
請求項１７記載の方法。
【請求項１９】
第１のライツオブジェクト（ＲＯ  Ａ）から第１の端末機（ＥＧ  Ａ）の識別を抽出する
請求項１８記載の方法。
【請求項２０】
第１の端末機（ＥＧ  Ａ）が該第１の端末機（ＥＧ  Ａ）の抽出された識別をコンテントオブジェクトに組み入れる
請求項１９記載の方法。
【請求項２１】
第１の端末機（ＥＧ  Ａ）の識別をコンテントオブジェクトに組み入れる際に、該コンテントオブジェクトに既に存在している識別を該第１の端末機（ＥＧ  Ａ）の識別によって置換する
請求項２０記載の方法。
【請求項２２】
ライツプロバイダー（ＲＡ）は要求された第２のライツオブジェクト（ＲＯ  Ｂ）を第２の端末機（ＥＧ  Ｂ）の識別と一緒に第２の端末機（ＥＧ  Ｂ）に伝送する
請求項１６から２１までのいずれか１項記載の方法。
【請求項２３】
第２の端末機（ＥＧ  Ｂ）は該第２の端末機（ＥＧ  Ｂ）の識別を第２のライツオブジェクト（ＲＯ  Ｂ）から抽出し、第１の端末機（ＥＧ  Ａ）の識別に代わってコンテントオブジェクトに組み込みかつ第３の端末機（ＥＧ  Ｃ）に転送する
請求項２２記載の方法。
【請求項２４】
請求項１６から２３までのいずれか１項記載の方法において使用されるための端末機。
【国際調査報告】
2006518889.tif 000006
2006518889.tif 000007
2006518889.tif 000008
2006518889.tif 000009
2006518889.tif 000010
2006518889.tif 000011